(57)【要約】      （修正有）【課題】のぼり旗の本来のよさである色々な風にたなびく優雅さを保つため、強風によるのぼり旗の巻上りと巻付きを防止する乳輪止め具を提供する。【解決手段】既に設置されているのぼりを含め、取付け取外しが簡単におこなえるように形状は、高さを押えネジ３を締めたときネジ穴で破損することのない高さとし、厚さを乳輪が抜けない厚さとした半筒状の端を凸状１１と凹状１２としたパッカー１と形状は同じで押えネジ３の穴を有するパッカー２からなり、パッカーの取付けは旗竿を挟むように凹凸端部をかみ合わすように押入れ一体化する。更に旗竿にパッカーを固定する為の、押えネジ３を設け、押えネジを締めることで旗竿と押えネジとの圧接部と旗竿とパッカーとの圧接部にかかる圧力により、互いのパッカーが引き合いパッカー凹凸端部の圧接部が圧接することにより本考案具を旗竿に固定する。尚、取扱いさと安価にするため材質は樹脂等とする。【選択図】図１
0003144704.tif 000002
【実用新案登録請求の範囲】
【請求項１】
強風によりのぼり旗の巻上りや巻付きを防止し、取付け取外しが容易な乳輪止め具において、（１）高さを押えネジを締めたときネジ穴で破損することのない高さとし、（２）厚さを乳輪が抜けない厚さとし、（３）形状は容易に取付け取外しができるように旗竿を挟むようにした半筒状で端を凸状と凹状としたパッカーと押えネジの穴を有するパッカーとし、（４）旗竿にパッカーを固定する為の押えネジからなり、押えネジを締めることで旗竿と押えネジとの圧接部と旗竿とパッカーとの圧接部にかかる圧力により、互いのパッカーが引き合いパッカーの噛み合う凹凸端部の圧接により本考案具を旗竿に固定する。以上からなるのぼり旗の乳輪止め具。
【考案の詳細な説明】
【技術分野】
【０００１】  本考案は、強風によるのぼり旗の巻上りと巻付きを防止するのぼり旗の乳輪止め具に関するものである。
【背景の技術】
【０００２】  広告媒体としてのぼり旗は、道路沿いや商店の他、色々なイベント会場等に立てられ、風にたなびくさ様は優雅でもあり、且つ活気や賑やかさをかもし出している。しかし、強風下ではのぼり旗が巻上がったり旗竿に巻付いたりその役目を損なってしまう。そこで、強風下においてものぼり旗の巻上りや巻付きを防止するための考案が数多くなされている。例として、最下部の乳輪に錘を取付けるもの（例えば、特許文献１や特許文献２）、考案具を旗竿に押込むように取付け乳輪を覆おうように挟持したもの（例えば、特許文献３）、旗竿に嵌着できる弾性体のパッカーに挟まれた回動部材を乳輪に取付けたもの（例えば、特許文献４）、旗竿に通した筒状のものに乳輪を取付けたもの（例えば、特許文献５）、乳輪の帯を挟持し輪の大きさを小さくしたもの（例えば、特許文献６）、のぼり旗の旗竿側に張り芯を設けたもの（例えば、特許文献７）、旗竿に固定したクリップでのぼり旗の端を挟むもの（例えば、特許文献８）、紐を取付けたリング状のものを旗竿に通し、ずり上がらないように最下部の乳輪の下に取付け紐を乳輪に取付けたもの（例えば、特許文献９）等が考案されている。
【特許文献１】特開平９−２９２８４９
【特許文献２】実用新案登録第３１３５９３５
【特許文献３】特開２００１−３１８６３７
【特許文献４】特開平１０−１１１６６２
【特許文献５】実用新案登録第３０９９３５５
【特許文献６】実用新案登録第３０３６５５０
【特許文献７】特開平９−２８１９１５
【特許文献８】特開２００４−７８０１８
【特許文献９】実用新案登録第３０２８９９２
【考案の開示】
【考案の解決しよいとする課題】
【０００３】  広告媒体としてのぼりは、道路沿いや商店等の前の他、色々なイベント会場等に立てられ、風にたなびくさ様は優雅でもあり、且つ活気や賑やかさをかもし出している。しかし、強風下ではのぼり旗が巻上がったり旗竿に巻付いたりその役目を損なってしまう。これまで強風下においてものぼり旗の巻上がりや巻付きを防止する用具として、乳輪を固定するもの、最下部に錘をつけるもの、乳輪を紐で引っ張るもの、旗に芯を入れるもの、乳輪を無くし旗竿を差し込むようにした旗のもの等、既に市場に出ているものを含め多くの考案がなされている。しかし、いずれも乳輪を完全に固定できなかったり、固定できても風向きに沿って廻らなかったり、取付けで既に立ててあるのぼりをいったん取外さないといけなかったり、用具が旗竿を通すものや乳輪に吊るすものは旗竿とぶつかり音がでたり壊れたりする等のいずれかの欠点がある。又、旗に芯を入れたり、旗竿を入れる穴が縫われたもの等があるが、のぼり本来の魅力である風にたなびく優雅さがない。そこで、既に設置されているのぼりを含み取付け取外しが容易で、強風においても乳輪の位置を固定でき更にのぼり旗が風向きに沿って回転できる安価な乳輪止め具でなかった欠点を解決しようとするものである。
【課題を解決するための手段】
【０００４】  既に設置されているのぼりを含め、取付け取外しが簡単におこなえるように形状は、高さを押えネジ（３）を締めたときネジ穴で破損することのない高さとし、厚さを乳輪が抜けない厚さとした半筒状の端を凸状（１１）と凹状（１２）としたパッカー（１）と形状は同じで押えネジ（３）の穴を有するパッカー（２）からなり、パッカーの取付けは旗竿を挟むように凹凸端部をかみ合わすように押入れ一体化する。更に旗竿にパッカーを固定する為の、押えネジ（３）を設け、押えネジを締めることで旗竿と押えネジとの圧接部（８）と旗竿とパッカーとの圧接部（９）にかかる圧力により、互いのパッカーが引き合いパッカー凹凸端部の圧接部（１０）が圧接することにより本考案具を旗竿に固定する。尚、取扱いさと安価にするため材質は樹脂等とする。
【考案の効果】
【０００５】  本考案のぼり乳輪止め具の取付け取外しは、部材を旗竿を挟むようにしているため、既に設置されているのぼりを含め簡単である。
【０００６】  本考案のぼり乳輪止め具を旗竿に固定する手段をネジによる圧接としているため、締付けを強くすることにより強風でもズレることがない。
【０００７】  風に優雅にたなびくのぼりは乳輪によりかもし出されているため、本考案のぼり乳輪止め具は、本来ののぼりの良さを損なわせない。
【０００８】  本考案のぼり乳輪止め具は、乳輪の回転と巻上りを防ぎ且つ、最下部乳輪の少し上に設置することで、どんなに強い風や緩やかな風においても、それなりの風情をかもし出しながらのぼり旗をたなびかせることができる。
【考案を実施するための最良な形態】
【０００９】  形状は強度と取扱いさと経済性を考慮し高さは３ｃｍ前後で、厚さは１ｃｍ前後とした半筒状の端を凸状（１１）と凹状（１２）としたパッカー（１）と形状は同じで押えネジ（３）の穴を有するパッカー（２）に、互いのパッカーを一体化し旗竿に固定させするための押しネジ（３）からなる。ネジ径は強度や締めやすさを考慮し７ｍｍ前後で又、ネジを廻し易くするためつまみをつける。一般的なのぼり旗以外のものについてはそれぞれの寸法に合わす必要がある。尚、取扱いさと安価にするため材質は樹脂等とする。
【図面の簡単な説明】
【００１０】
【図１】平面図
【図２】側面図
【図３】Ｂ−Ｂ断面図
【図４】Ａ−Ａ断面図
【図５】本考案ののぼり乳輪止め部材の斜視図
【図６】本考案ののぼり乳輪止め具の取り付け方法を示す斜視図
【図７】本考案ののぼり乳輪止め具を取り付けた状態の斜視図
【図８】本考案ののぼり乳輪止め具を取付けた状態ののぼりの側面図
【符号の説明】
【００１１】１    パッカー
２    ネジ穴を有するパッカー
３    押えネジ
４    旗竿
５    のぼり旗
６    乳輪
７    乳輪止め具
８    旗竿と押えネジの圧接部
９    旗竿とパッカーの圧接部
１０  凹凸端部の圧接部
１１  パッカー凸部
１２  パッカー凹部
【図１】
0003144704.tif 000003
【図２】
0003144704.tif 000004
【図３】
0003144704.tif 000005
【図４】
0003144704.tif 000006
【図５】
0003144704.tif 000007
【図６】
0003144704.tif 000008
【図７】
0003144704.tif 000009
【図８】
0003144704.tif 000010